(57)【特許請求の範囲】
【請求項１】
レンズに取付られたヨロイ部材と、
テンプル部材と、を備え、
前記ヨロイ部材は、レンズの側面に位置される基部であって、該レンズ側面にほぼ平行する中心軸を有する案内溝、該中心軸を曲率半径の中心とするほぼ１／４円弧面および該円弧面の少なくとも前方端に形成された第１の係止溝を有する基部と、該基部から延出されレンズの前面に位置される腕部とを有し、
前記テンプル部材は、一端部に、前記案内溝に嵌合される第１の脚部と、前記ほぼ１／４円弧面および前記係止溝に弾性的に係合する第２の脚部とを含む略Ｕ字状の屈曲部を有することを特徴とするねじ無し丁番を備えた眼鏡。
【請求項２】
前記ヨロイ部材の基部は、さらに、前記ほぼ１／４円弧面の後方端に形成された第２の係止溝を有することを特徴とする請求項１に記載のねじ無し丁番を備えた眼鏡。
【請求項３】
前記第１の係止溝と前記案内溝とは、眼鏡を前方から見たとき、ほぼ重なることを特徴とする請求項２に記載のねじ無し丁番を備えた眼鏡。
【請求項４】
前記ヨロイ部材は、樹脂で形成され、眼鏡レンズに接着により固設されていることを特徴とする請求項１ないし３のいずれかに記載のねじ無し丁番を備えた眼鏡。
【請求項５】
前記ヨロイ部材は、前記腕部から延出する脚部を備え、レンズに穿設されたレンズ孔に該脚部が挿入されて固設されていることを特徴とする請求項１ないし３のいずれかに記載のねじ無し丁番を備えた眼鏡。
【発明の詳細な説明】
【０００１】
【発明の属する技術分野】
本発明は、ねじ無し丁番を備えた眼鏡に関する。
【０００２】
【従来の技術】
従来、かかるねじ無し丁番を備えた眼鏡としては、例えば、特開２００１−７５０５６号公報に記載のものが知られている。
【０００３】
特開２００１−７５０５６号公報に記載のねじ無し丁番を備えた眼鏡は、一端がレンズまたはリムに設置される線状材料から成る結合部材の他端にＵ字状の湾曲部を形成すると共に、テンプルの一端に、周方向に溝が形成された嵌合部材を設け、前記結合部材のＵ字状の湾曲部が前記嵌合部材の周方向溝と少なくとも２箇所で接触するように、前記Ｕ字状の湾曲部間に前記嵌合部材を回動可能に嵌合させている。
【０００４】
【発明が解決しようとする課題】
しかしながら、かかる従来のねじ無し丁番を備えた眼鏡においては、線状材料から成る結合部材の一端がレンズまたはリムに設置され、その他端にＵ字状の湾曲部が形成されており、そして、テンプルの一端に設けられた嵌合部材がこのＵ字状の湾曲部に回動可能に嵌合されているので、テンプルを畳んだときに、少なくともこの結合部材の長さに相当する分、眼鏡が厚くなり、収納性に問題があった。
【０００５】
そこで、テンプルを畳んだときの眼鏡の全体の厚さを薄くすべく、結合部材の長さを短くすることも考えられるが、充分なあがきを得つつそれを達成するのは、結合部材の構造上限界があるものであった。
【０００６】
本発明の目的は、かかる従来の問題を解決し、簡単な構造で、充分なあがきが得られると共に、テンプルを畳んだときの眼鏡の全体の厚さを薄くすることができるねじ無し丁番を備えた眼鏡を提供することにある。
【０００７】
【課題を解決するための手段】
上記目的を達成する本発明の一形態に係るねじ無し丁番を備えた眼鏡は、レンズに取付られたヨロイ部材と、テンプル部材と、を備え、前記ヨロイ部材は、レンズの側面に位置される基部であって、該レンズ側面にほぼ平行する中心軸を有する案内溝、該中心軸を曲率半径の中心とするほぼ１／４円弧面および該円弧面の少なくとも前方端に形成された第１の係止溝を有する基部と、該基部から延出されレンズの前面に位置される腕部とを有し、前記テンプル部材は、一端部に、前記案内溝に嵌合される第１の脚部と、前記ほぼ１／４円弧面および前記係止溝に弾性的に係合する第２の脚部とを含む略Ｕ字状の屈曲部を有することを特徴とする。
【０００８】
上記構成によれば、テンプルが畳まれるとき、テンプルは、レンズの側面に位置された基部における、レンズ側面にほぼ平行する中心軸を有する案内溝に嵌合された第１の脚部を中心にして回動される。従って、テンプルが畳まれたときには、ヨロイ部材の影響を受けることなく、眼鏡の全体の厚さが薄くなる。また、テンプルの回動時には、テンプル部材の一端部の略Ｕ字状の屈曲部の第２の脚部が円弧面に弾性的に係合するので、充分なあがきを得ることができる。
【０００９】
ここで、前記ヨロイ部材の基部は、さらに、前記ほぼ１／４円弧面の後方端に形成された第２の係止溝を有することが好ましい。この構成によれば、テンプルが畳まれたとき、第２の脚部が該第２の係止溝に係止されるので、テンプルが安定して保持される。
【００１０】
さらに、前記第１の係止溝と前記案内溝とは、眼鏡を前方から見たとき、ほぼ重なることが好ましい。この構成によれば、前方から見たときすっきりとし、ファッション性が向上する。
【００１１】
また、前記ヨロイ部材は、樹脂で形成され、眼鏡レンズに接着により固設されてもよい。この構成によれば、眼鏡に要求されるデザインの自由度が増大すると共に、レンズと異なる色に着色することも容易であり、ファッション性が向上する。また、レンズへの穿孔作業や調整作業が不要となり、眼鏡の作製が簡単となる。
【００１２】
さらに、前記ヨロイ部材は、前記腕部から延出する脚部を備え、レンズに穿設されたレンズ孔に該脚部が挿入されて固設されていてもよい。
【００１３】
【発明の実施の形態】
以下、本発明の実施の形態を添付図面を参照しつつ説明する。なお、本明細書の記述において、「前後」、「左右」および「上下」等の方向を表す表現は、眼鏡が通常の状態で人に装着されているときの方向を表している。さらに、用語「あがき」とは、テンプルの開閉時における抵抗トルクの意味で用いる。
【００１４】
図１ないし３において、本発明の一実施の形態に係る眼鏡１００は、左右のレンズ１１０と、レンズ１１０に固設されたヨロイ部材１２０およびブリッジ側樹脂パーツ１３０と、ヨロイ部材１２０に連結されたテンプル１４０と、ブリッジ側樹脂パーツ１３０に連結されたブリッジ１５０とを備えている。
【００１５】
ヨロイ部材１２０は、図４に詳細に示すように、レンズ１１０の側面に位置され一部がレンズ１１０の側面に当接して位置される基部１２１と、該基部１２１から延出されレンズ１１０の前面に位置される腕部１２２と、該腕部１２２から後方に突出する脚部１２３とを有している。基部１２１は、レンズ１１０の側面にほぼ平行で上下方向に延在する中心軸を有する案内溝１２４と、該中心軸を曲率半径Ｒの中心とするほぼ１／４円弧面１２５と、該円弧面１２５の前方端に形成された第１の係止溝１２６と同じく後方端に形成された第２の係止溝１２７とを有している。
【００１６】
ブリッジ側樹脂パーツ１３０は、図５に詳細に示すように、レンズ１１０の内側面にほぼ平行な面内に延在し、一部がレンズ１１０の側面に当接して位置されるほぼ長円形状の基部１３２と、該基部１３２から延出しレンズ１１０の前面に位置される腕部１３４と、該腕部１３４から後方に、基部１３２とほぼ平行に突出する脚部１３６とを有し、基部１３２の外周部には取付溝１３８が形成されている。該取付溝１３８が形成された長円形状の基部１３２は、図５から明らかなように、二つの円弧部１３２ｔおよび１３２ｂを含んでおり、本実施の形態では、該二つの円弧部がレンズ１１０の光軸にほぼ直交する上下方向に配置されている。
【００１７】
そして、取付溝１３８は、該外周部の少なくとも上側の円弧部１３２ｔを含む部分に形成されていればよいが、後述するブリッジ１５０との取付を確実にするために、図５に示すように、二つの円弧部１３２ｔおよび１３２ｂを含む長円状外周部の全周に亘り形成されている。その結果、取付溝１３８のその底部は、側方から見たとき、上側の円弧部１３８ｔおよび下側の円弧部１３８ｂとこれらの間の平行部１３８ｐとを有する形状となる。
【００１８】
なお、本実施の形態では、レンズ１１０には、図１および２から明らかなように、その内外側縁部近傍にレンズ孔１１２がそれぞれ穿設されている。
【００１９】
次に、ブリッジ１５０は、金属線材（例えば、チタン合金、ニッケル・クロム合金、ニッケル・チタン合金等の弾性材）から第１のＵ字状屈曲部１５２とこれに連なる第２のＵ字状屈曲部１５５とを備えて形成され、本実施の形態では、該第１のＵ字状屈曲部１５２の第１脚部１５３同士が連結部１５１で連結されている。なお、図６に詳細に示すように、第１のＵ字状屈曲部１５２の第２脚部１５４は第２のＵ字状屈曲部１５５の第１脚部１５６と直線的に連続し、第１のＵ字状屈曲部１５２の第１脚部１５３と第２脚部１５４との両脚部がブリッジ側樹脂パーツ１３０の取付溝１３８に係合し、第２のＵ字状屈曲部１５５の第２脚部１５７の先端には鼻当てパッド１５８が取り付けられている。
【００２０】
ここで、第１のＵ字状屈曲部１５２は眼鏡の下方向に凸で、その第１脚部１５３と第２脚部１５４とは互いに平行であり、一方、第１のＵ字状屈曲部１５２の第２脚部１５４と直線的に連続する第１脚部１５６を有する第２のＵ字状屈曲部１５５は眼鏡の上方向に凸で、その第１脚部１５６と第２脚部１５７とも互いにほぼ平行である。但し、第１のＵ字状屈曲部１５２の第１脚部１５３とその第２脚部１５４（および第２のＵ字状屈曲部１５５の第１脚部１５６）と第２のＵ字状屈曲部１５５の第２脚部１５７とは、図１から明らかなように、眼鏡の前方から見てほぼ重なるよう形成されている。
【００２１】
なお、１５８は鼻当てパッドであり、本実施の形態では、ブリッジ１５０を構成している第２のＵ字状屈曲部１５５の第２脚部１５７の先端部に取付けられているが、他のパッドアームに設けられてもよい。
【００２２】
さらに、テンプル１４０と上述のヨロイ部材１２０により構成されるねじ無し丁番につき、図７を主に参照して説明する。本実施の形態においては、ねじ無し丁番がヨロイ部材１２０とテンプル１４０の一端部に形成された略Ｕ字状の屈曲部１４２との組合せにより構成されている。テンプル１４０は、例えば、チタン合金、ニッケル・クロム合金、ニッケル・チタン合金等の弾性材の金属線材から形成され、略Ｕ字状の屈曲部１４２は、ヨロイ部材１２０の案内溝１２４に嵌合される第１の脚部１４４と、円弧面１２５および第１および第２の係止溝１２６および１２７に弾性的に係合する第２の脚部１４６とを含んでいる。テンプル１４０の本体と略Ｕ字状の屈曲部１４２との間には、上方から見て、両者に対しほぼ等しい角度（約１３５°）傾斜された逃げ部１４８が設けられており（図２参照）、第１の脚部１４４は、該逃げ部１４８に対しほぼ直角に下方に折り曲げられている。テンプル１４０の端部に形成された略Ｕ字状の屈曲部１４２は、ヨロイ部材１２０の案内溝１２４に嵌合されたとき、第１脚部１４４と第２脚部１４６とでヨロイ部材１２０を弾性的に挟持し、さらに、該第２脚部１４６が円弧面１２５に均等に接触して、安定的に所定の「あがき」が生ずるように、無荷重状態では、第１脚部１４４と第２脚部１４６との開口幅が曲率半径Ｒよりも小さくされている。
【００２３】
上記本発明の実施の形態にあっては、次の手順により眼鏡１００が組立られ完成されることになる。まず、レンズ１１０の内外側縁部近傍のレンズ孔１１２にヨロイ部材１２０の脚部１２３およびブリッジ側樹脂パーツ１３０の脚部１３６を挿入することにより、ヨロイ部材１２０およびブリッジ側樹脂パーツ１３０を、それぞれ、レンズ１１０に固着する。そして、ブリッジ側樹脂パーツ１３０に対し、ブリッジ１５０を取付けることにより、左右のレンズ１１０を連結する。この取付けは、ブリッジ１５０の第１のＵ字状屈曲部１５２を下向きにして、その第１脚部１５３とその第２脚部１５４（および第２のＵ字状屈曲部１５５の第１脚部１５６）とをブリッジ側樹脂パーツ１３０の取付溝１３８に下方向から導入することにより行われる。導入完了時には、第１のＵ字状屈曲部１５２が取付溝１３８の下側の円弧部１３８ｂに係合し、その第１脚部１５３とその第２脚部１５４とが取付溝１３８の平行部１３８ｐを挟持し、左右のレンズ１１０を確実に連結することになる。
【００２４】
そして、最後に、ヨロイ部材１２０に対し左右のテンプル部材１４０を連結することにより、ねじ無し丁番を構成する。詳しくは、ヨロイ部材１２０の案内溝１２４にテンプル部材１４０の端部に形成されたＵ字状屈曲部１４２の第１脚部１４４を下方から挿通すると共に、第２脚部１４６を円弧面１２５に係合させ、第１脚部１４４と第２脚部１４６とでヨロイ部材１２０を弾性的に挟持させる。かくて、リムレス眼鏡１００は、ねじ等を一切用いることなく、各部品が連結されることにより完成されることになる。
【００２５】
上述のようなブリッジ１５０とブリッジ側樹脂パーツ１３０との連結構造およびねじ無し丁番を用いて構成されている眼鏡１００において、テンプル部材１４０がその全閉位置に畳まれるときには、テンプル部材１４０は、その第１脚部１４４を中心として回動し、円弧面１２５に弾接している第２脚部１４６と円弧面１２５との摩擦力により、所定の「あがき」を伴って閉じられることになる。そして、全閉位置に到達すると、第２脚部１４６が円弧面１２５の後方端に形成された第２の係止溝１２７に係止され、その状態に安定的に保持される。このとき、テンプル部材１４０の逃げ部１４８の傾斜により、テンプル部材１４０とレンズ１１０との接触は回避され、且つ、ヨロイ部材１２０の影響を受けることなく、眼鏡の全体の厚さが薄く維持されることになる。一方、テンプル部材１４０がその全開位置に開かれたときには、第２脚部１４６が円弧面１２５の前方端に形成された第１の係止溝１２６に係止され、その状態に安定的に保持される。
【００２６】
また、眼鏡に過剰な外力が作用した場合には、ブリッジ側樹脂パーツ１３０の取付溝１３８に弾性的に係合している略Ｕ字状の屈曲部１５２が弾性的に変形して、ブリッジ側樹脂パーツ１３０とブリッジ１５０とが外れる。その結果、ヨロイ部材１２０、ブリッジ１５０およびテンプル部材１４０等の部品の変形やレンズ１１０の割れが防止される。
【００２７】
さらに、ヨロイ部材１２０およびブリッジ側樹脂パーツ１３０は、特別の色に着色されていてもよく、このようにすると、ファッション性が向上する。また、前記樹脂パーツは、透明であってもよい。特に、脚部が省略されたヨロイ部材１２０およびブリッジ側樹脂パーツ１３０の場合には、視野が制限されず明るくなり、また、見た目にもレンズ部への異物感が薄れすっきりとしたデザインの眼鏡が得られる。
【００２８】
なお、ブリッジ側樹脂パーツ１３０の取付溝１３８は、前方から見たとき、垂直方向または水平方向に配置されていることが好ましい。前方から見たときすっきりとし、ファッション性が向上するからである。
【００２９】
ブリッジ側樹脂パーツ１３０の取付溝１３８へのブリッジ１５０の導入方向、換言すると、差し込み方向は、上述の実施の形態では、下方向から差し込む例を示したが、これは、所定の一方向である限り、いずれの方向であってもよい。
【００３０】
以上、本発明の好ましい実施の形態につき説明したが、本発明は上記実施の形態に限定されるものではない。すなわち、テンプル部材１４０のＵ字状屈曲部１４２を上方に凸に形成し、ヨロイ部材１２０に対し上方から導入するようにしてもよい。
【図面の簡単な説明】
【図１】本発明の一実施の形態に係る眼鏡を示す正面図である。
【図２】本発明の一実施の形態に係る眼鏡を示す平面図である。
【図３】本発明の一実施の形態に係る眼鏡を示す側面図である。
【図４】本発明の一実施の形態に係る眼鏡のヨロイ部材を示す、（Ａ）正面図、（Ｂ）平面図および（Ｃ）側面図である。
【図５】本発明の一実施の形態に係る眼鏡のブリッジ側樹脂パーツを示す、（Ａ）正面図、（Ｂ）平面図および（Ｃ）側面図である。
【図６】本発明の一実施の形態に係る眼鏡のブリッジの一例を示す斜視図である。
【図７】本発明の一実施の形態に係る眼鏡のねじ無し丁番部を示す部分拡大斜視図であり、（Ａ）はテンプル部材の開成時、および（Ｂ）はテンプル部材の閉成時を示す。
【符号の説明】
１００    眼鏡
１１０    レンズ
１１２    レンズ孔
１２０    ヨロイ部材
１２１    基部
１２２    腕部
１２３    脚部
１２４    案内溝
１２５    円弧面
１２６    第１の係止溝
１２７    第２の係止溝
１３０    ブリッジ側樹脂パーツ
１３２    基部
１３４    腕部
１３６    脚部
１３８    取付溝
１４０    テンプル部材
１４２    略Ｕ字状の屈曲部
１４４    第１の脚部
１４６    第２の脚部
１５０    ブリッジ
１５２    略Ｕ字状の屈曲部
【図１】
0003583768.tif 000002
【図２】
0003583768.tif 000003
【図３】
0003583768.tif 000004
【図４】
0003583768.tif 000005
【図５】
0003583768.tif 000006
【図６】
0003583768.tif 000007
【図７】
0003583768.tif 000008